(57)【要約】【課題】  床暖房装置を備えた床面に敷設しても暖房効率を低下させず、床面の暖気を効率良く上昇させて室内に拡散させることのできるジョイントマットを提供する。【解決手段】  不織繊維の集合体のクッション材を用いる。不織繊維の集合体は、繊維材料と熱接着性の鞘成分とから構成される熱接着性複合繊維から形成されているものやコイル状捲縮を有する湿熱接着性繊維を含んでいるものを使用することができ、目付けが１０〜３００ｇ／ｍ２、密度が０．０５〜０．１０ｇ／ｃｍ３、剛軟度が４〜８ｃｍの範囲であるものが好ましい。上記構成のクッション材を、通気性を有する所定形状の外装体で被覆することで本願発明のジョイントマットが得られる。【選択図】  なし【特許請求の範囲】
【請求項１】
端縁に形成された係合部を係合させることで複数のマットを連結するジョイントマットにおいて、
弾性を有する不織繊維の集合体を所定形状の板状に形成してクッション材とし、
このクッション材を、通気性を有する所定形状の外装体で被覆したこと、
を特徴とするジョイントマット。
【請求項２】
前記不織繊維の集合体が、繊維材料と熱接着性の鞘成分とから構成される熱接着性複合繊維から形成されていることを特徴とする請求項１に記載のジョイントマット。
【請求項３】
前記不織繊維の集合体が、コイル状捲縮を有する湿熱接着性繊維を含んでいることを特徴とする請求項１に記載のジョイントマット。
【請求項４】
前記不織繊維の集合体が、目付けが１０〜３００ｇ／ｍ２、密度が０．０５〜０．１０ｇ／ｃｍ３、剛軟度が４〜８ｃｍの範囲であることを特徴とする請求項１〜３のいずれかに記載のジョイントマット。
【請求項５】
一又は複数の前記不織繊維の集合体若しくは一又は複数の前記不織繊維の集合体と他のクッション体とから前記クッション材を形成したことを特徴とする請求項１〜４のいずれかに記載のジョイントマット。
【請求項６】
前記外装体の修縁部に面ファスナーを取り付け、この面ファスナーによってジョイントマットを連結することを特徴とする請求項１〜５のいずれかに記載のジョイントマット。
【発明の詳細な説明】
【技術分野】
【０００１】
本発明は、複数のマットを連結して床面に敷くジョイントマットに関し、特に床暖房の熱を効率良く透過させて拡散させることのできるジョイントマットに関する。
【背景技術】
【０００２】
ジョイントマットは、幼児や高齢者が転倒してもその衝撃を和らげて怪我を防止したり軽減したりする目的で室内の床面に敷かれるもので、例えば特許文献１〜３に記載されているようなものが知られている。
【先行技術文献】
【特許文献】
【０００３】
【特許文献１】実用新案登録第３０９２５３１号
【特許文献２】実用新案登録第３１６８１１７号
【特許文献３】特開２０１３−４０５４７号公報
【発明の開示】
【発明が解決しようとする課題】
【０００４】
ところで近年では、冬季の効率的な暖房を目的として床暖房装置を設置する家屋や建築物が増加している。
しかし、上記文献に記載のジョイントマットは、ウレタンを芯材としているため、床面の暖気の上昇を遮断してしまい、床暖房装置による暖房効果を低下させるという問題がある。
このような問題を解決するには、例えば特許文献３に記載されているように、多孔性のウレタンマットを用いることも提案されているが、実際に実験を行ってみると、多孔性のウレタンマットでも床面の暖気の上昇はそれほど改善しないことがわかった。
【０００５】
本発明は、上記の問題に鑑みてなされたもので、床暖房装置を備えた床面に敷設しても暖房効率を低下させず、床面の暖気を効率良く上昇させて室内に拡散させることのできるジョイントマットの提供を目的とする。
【課題を解決するための手段】
【０００６】
本願発明者が鋭意研究を行った結果、多孔性のウレタンマットは断熱性が高く、床面の暖気を上昇させるのに必要な上下の温度差がそれほど大きくならないこと、また、人がジョイントマットに載ったときにウレタンマットが変形して孔が塞がれてしまい、暖気が上昇できないこと等が多孔性のウレタンマットの欠点として浮上した。
そこで本発明では、ウレタンマットの代わりに不織繊維の集合体のクッション材を用いることとした。不織繊維の集合体は、繊維材料と熱接着性の鞘成分とから構成される熱接着性複合繊維から形成されているものやコイル状捲縮を有する湿熱接着性繊維を含んでいるものを使用することができ、目付けが１０〜３００ｇ／ｍ２、密度が０．０５〜０．１０ｇ／ｃｍ３、剛軟度が４〜８ｃｍの範囲であるものが好ましい。
【０００７】
上記構成の不織繊維の集合体をクッション材とし、このクッション材を、通気性を有する所定形状の外装体で被覆することで本願発明のジョイントマットが得られる。
前記不織繊維の集合体は複数枚積層して前記クッション材を形成してもよい。一又は複数の前記不織繊維の集合体と多孔ウレタン等の他のクッション体とからクッション材を形成してもよい。複数の不織繊維の集合体を用いる場合は、同種のものを積層してもよいし、異種のものを積層してもよい。また、目付けや密度、剛軟度が異なる不織繊維の集合体を積層してもよい。
上記構成のジョイントマットにおいては、前記外装体の修縁部に面ファスナーを取り付け、この面ファスナーによってジョイントマットを連結するようにしてもよい。
【発明の効果】
【０００８】
上記のような不織繊維の集合体をクッション材として用いれば、ジョイントマットの上下の温度差が大きくなり床面の暖気の上昇を促すことができる。また、人がジョイントマットの上に載ってクッション材が変形しても、暖気上昇に必要な空間が完全に閉ざされることがない上、人が載って移動することによるポンプ作用によって、床面の暖気の上昇をさらに促進させることができる。
また、本願発明のジョイントマットは内部に貯留される空気の量も多いことから、床暖房をオフにしてもジョイントマット内部の暖められた空気により長時間に亘ってジョイントマットからの放熱が続き、保温効果による省エネ効果も得られる。
【発明を実施するための最良の形態】
【０００９】
本発明の好適な実施形態を以下に詳細に説明する。
［不織繊維の集合体の形成］
不織繊維の集合体を構成する繊維としては、ポリエステル繊維、ポリプロピレン繊維、ナイロン繊維及びガラス繊維のなかの一種又は複数種を用いることができる。そして、これら繊維材料と高密度ポリエチレン等の鞘成分とから熱接着性複合繊維を得る。
【００１０】
また、湿熱により軟化して交叉する繊維間で接着する湿熱接着性繊維を用いてもよい。湿熱接着性繊維は、少なくとも湿熱接着性樹脂で構成されていて、高温水蒸気によって容易に実現可能な温度において、流動又は容易に変形して接着機能を発現可能であればよい。このような湿熱接着性繊維は例えば特開２０１１−１８４８４６号公報等で公知であり、セルロース系樹脂（メチルセルロースなどのＣ1-3アルキルセルロース、ヒドロキシメチルセルロースなどのヒドロキシＣ1-3アルキルセルロース、カルボキシメチルセルロースなどのカルボキシＣ1-3アルキルセルロース又はその塩など）、ポリアルキレングリコール樹脂（ポリエチレンオキサイド、ポリプロピレンオキサイドなどのポリＣ2-4アルキレンオキサイドなど）、ポリビニル系樹脂（ポリビニルピロリドン、ポリビニルエーテル、ビニルアルコール系重合体、ポリビニルアセタールなど）、アクリル系共重合体およびその塩［（メタ）アクリル酸、（メタ）アクリルアミドなどのアクリル系単量体で構成された単位を含む共重合体又はそのアルカリ金属塩など］、変性ビニル系共重合体（イソブチレン、スチレン、エチレン、ビニルエーテルなどのビニル系単量体と、無水マレイン酸などの不飽和カルボン酸又はその無水物との共重合体又はその塩など）、親水性の置換基を導入したポリマー（スルホン酸基やカルボキシル基、ヒドロキシル基などを導入したポリエステル、ポリアミド、ポリスチレン又はその塩など）、脂肪族ポリエステル系樹脂（ポリ乳酸系樹脂など）などが挙げられる。さらに、ポリオレフィン系樹脂、ポリエステル系樹脂、ポリアミド系樹脂、ポリウレタン系樹脂、熱可塑性エラストマー又はゴム（スチレン系エラストマーなど）などのうち、熱水（高温水蒸気）の温度で軟化して接着機能を発現可能な樹脂も含まれる。
【００１１】
上記の熱接着性複合繊維又は湿熱接着性繊維から、エアレイド法等の公知の方法を用いて板状の不織繊維の集合体を得ることができる。これにより、熱接着性複合繊維又は湿熱接着性繊維が互いに絡み合うとともに、加熱によって溶融した繊維の一部が交点で接着され、形状及び大きさ（肉厚、幅及び長さ）が固定される。不織繊維の集合体は、目付けが１０〜３００ｇ／ｍ２、密度が０．０５〜０．１０ｇ／ｃｍ３、剛軟度が４〜８ｃｍの範囲であるのが好ましい。
そして、一定の厚み及び形状を有する一つの不織繊維の集合体からジョイントマットのクッション材を構成してもよいし、複数の不織繊維の集合体を積層してジョイントマットのクッション材を構成してもよい。複数の不織繊維の集合体を用いる場合は、同種の繊維から構成されるものを用いてもよいし、異種の繊維から構成されるものを用いてもよい。一つ又は複数の不織繊維の集合体から構成されるクッション材の厚みは３〜５ｃｍ程度が一般的である。
【００１２】
［外装体］
外装体は、上記構成の一定の厚み及び形状のクッション材を収容するためのもので、通気性の良いメッシュ状の部材や布材から袋状に形成されている。外装体の床面に接する側の面には、滑り止めを施すのが好ましい。
外装体はスライドファスナーや面ファスナーによって開閉される開口部を有し、この開口部を通してクッション材が出し入れできるようになっている。そして、前記開口部から前記外装体の内部に前記クッション材を収容することで、所定形状及び所定厚みのジョイントマットが構成される。
各ジョイントマットの連結は、スライドファスナーやボタン等によって行うことができるが、ジョイントマットの側縁部に面ファスナーを取り付け、この面ファスナーによって連結するようにするとよい。
上記のように構成されたジョイントマットでは、床面の温度が２９．５℃に対し、ジョイントマットの上面の温度は２８．５℃に達した。同一の条件下で従来のウレタンマットを用いて計測したところ、上面の温度は２６℃であった。このことから、本願発明のジョイントマットは床面の暖気を効率よくジョイントマットの上面まで伝えることができることがわかる。
また、床暖房をオフにしても、ジョイントマット内部の暖められた空気により長時間に亘ってジョイントマットが温かく、保温効果も高いことが確かめられた。
【００１３】
本発明は上記の実施形態に限定されるものではない。
例えば、クッション材の表裏面は平坦であってもよいが、クッション材の形成後に加熱によって一方又は両方の表面に凹凸を形成してもよい。
また、クッション性を向上させるために、複数の不織繊維集合体の間に薄い多孔性のウレタン材等を介在させてもよい。